(57)【要約】【課題】従来技術の欠点を取り除くために、使い捨てでなく携帯にも便利な処理具を提供しようとするものである。また、犬の糞の処理作業や処理具の携行の億劫さを和らげるために、簡便、かつ、清潔に処理作業ができる処理具と、その処理具を犬の首輪に着脱自在に係止できる処理具を提供しようとするものでもある。【解決手段】袋を手袋形に形成し、その手袋形の袋の口部周辺に着脱自在の係止具を取り付ける。また、手袋形の袋の内面に装飾を施す。また、手袋形の袋の口部を弾性材を用いて絞る。また、手袋形の袋の表面を防滑処理する。【選択図】図１
2004000106.tif 000002
【特許請求の範囲】
【請求項１】
袋状のものを用いる犬の糞処理具において、袋が手袋形の袋（１）であって、かつ、手袋形の袋（１）の口部周辺に着脱自在の係止具（２）を取り付けたことを特徴とする犬の糞処理具。
【請求項２】
手袋形の袋（１）の内面に装飾（３）が施されたものである請求項１記載の犬の糞処理具。
【請求項３】
手袋形の袋（１）の口部が弾性材（４）により絞られているものである請求項１又は２記載の犬の糞処理具。
【請求項４】
手袋形の袋（１）の表面が防滑処理（５）されたものである請求項１〜３記載の犬の糞処理具。
【発明の詳細な説明】
【０００１】
【発明の属する技術分野】
本発明は、袋状のものを用いる犬の糞処理具に関するもので、詳しくは、手袋形の袋を用いた処理具に関するものである。
【０００２】
【従来の技術】
袋状のものを用いる従来の犬の糞処理具は、使い捨てであり経費的な負担が大きくなるという欠点があり、例えば、特開２００１−１４５４３２号公報「犬の糞取り具」や特開２０００−１３９２６０号公報「犬、猫等の糞処理具」などがある。
【０００３】
【発明が解決しようとする課題】
本発明の犬の糞処理具は、上記従来技術の欠点を取り除くために、使い捨てでなく携帯にも便利な処理具を提供しようとするものである。
また、犬の糞の処理作業や処理具の携行の億劫さを和らげるために、簡便、かつ、清潔に処理作業ができる処理具と、その処理具を犬の首輪に着脱自在に係止できる処理具を提供しようとするものでもある。
【０００４】
【課題を解決するための手段】
上記課題を解決するため、本発明の袋状のものを用いる犬の糞処理具においては、袋を手袋形に形成し、その手袋形の袋の口部周辺に着脱自在の係止具を取り付ける。
【０００５】
上記犬の糞処理具において、手袋形の袋の内面に装飾を施す。
【０００６】
上記各犬の糞処理具において、手袋形の袋の口部を弾性材を用いて絞る。
【０００７】
上記各犬の糞処理具において、手袋形の袋の表面を防滑処理する。
【０００８】
【発明の実施の形態】
本発明の、袋状のものを用いる犬の糞処理具は、手袋形の袋であって、かつ、手袋形の袋の口部周辺に着脱自在の係止具を取り付けたことを特徴とするものである。
手袋形の袋とは、手袋そのものを含むものであって、親指がその他の指と分離されて収容される袋全体をいい、５本指式の手袋形の袋や２本指式の手袋形の袋などを包含するものである。
手袋形の袋は、布や繊維、紙、合成樹脂など、袋を形成できる素材によって形成され、折り曲げや裏返しの容易なものが選択される。
手袋形の袋の口部周辺とは、手袋形の袋に手を差し入れる個所の周辺をいい、着脱自在の係止具を取り付けるとは、犬の首輪に着脱自在に止めたり外したりできるスナップのような金具などを取り付けることをいう。
手袋形の袋の内面とは、手に手袋形の袋を装着した状態において、手袋形の袋の内側となる面をいう。
装飾を施すとは、絵や柄をプリントしたり、アップリケやワッペン、刺繍などを付けたりすることをいう。
手袋形の袋の口部を弾性材を用いて絞るとは、ゴムなどの弾性材を用いて手袋形の袋の口の部分を狭くすることをいう。
手袋形の袋の表面を防滑処理するとは、手袋形の袋の表面を滑りにくくするためゴムの突起を付けたり滑りにくくなる塗料や粘着材を塗布したりすることをいう。
【０００９】
【実施例】
以下実施例について図面を参照して説明する。
図１は、手袋形の袋からなる、犬の糞処理具の実施例を示す斜視図である。
実施例では、手袋形の袋１として綿で作られた作業用手袋が利用されている。
手袋の口部周辺に、着脱自在の係止具２としてのスナップが、犬の首輪に合うサイズを選択して取り付けられている。
この手袋を利用した犬の糞処理具は、手袋を装着した上にビニール袋を被せて犬の糞を拾うものである。手にビニール袋を被せて拾う場合に比べて犬の糞の生暖かさが遮断されるなどの効果があり、また手袋をすることにより清潔感が向上するなどの効果がある。
拾ったあと、手袋を裏返すことによりビニール袋ごと犬の糞が収容される。
これを着脱自在の係止具としてのスナップを用いて犬の首輪に吊り下げる。
以上のようにして本発明が解決しようとする課題が解決されている。
なお、実施例では、請求項２の構成を取り入れ、手袋の内面にアクセサリー性を高める目的でワッペンを接着する形で装飾３が施されている。図１では内面に取り付けられていることを示すため点線で表示されている。
また、実施例では、請求項３の構成を取り入れ、手袋の口部が弾性材４であるゴム入りの糸で絞られている。
また、実施例では、請求項４の構成を取り入れ、手袋表面の指の部分に、ゴム製の小突起物を接着する形で防滑処理５がなされている。
【００１０】
【発明の効果】
本発明の、袋状の物を用いる犬の糞処理具は、袋を手袋形に形成して、その処理具を手に装着した上にビニール袋を被せて糞の処理をする。素手の上にビニール袋を被せて糞の処理をする場合に比べて、糞の生暖かさが遮断されるなど格段使用感が向上する。手袋形の袋に被せたビニール袋で糞を処理した後、ビニール袋を裏返して外すと糞はビニール袋に収納され、手袋形の袋は汚れず繰り返し使用することができる。ここで、手袋形の袋に被せたビニール袋で糞を処理した後、ビニール袋と一緒に手袋形の袋も同時に裏返すと、糞が収納されたビニール袋が手袋形の袋に省力的に収納されることとなる。このように、本発明の、手袋形の袋を用いた処理具は、糞を拾う処理具としての機能と、糞を収納したビニール袋を省力的に収納できる収納具として機能する効果をもたらすものである。
また、着脱自在の係止具を手袋形の袋の口部周辺に取り付ける構成としたことにより、犬の首輪に吊るした場合、袋の口が上を向いた状態で吊るされるので、袋内に収納した糞が落ちにくくなるという当業者の予測できない効果を得る。
また、本発明の犬の糞処理具は、犬の首輪に吊り下げることにより、手に持ち歩かなくて済むという重宝な効果を得る。
さらに、手に持ち歩かないので衣服の袖口などに臭い移りがせず、臭いに悩まされることもなくなる。
体裁も良く清潔感が向上するうえ手で持ち歩かなくて済むので、糞処理の億劫さが軽減される。
犬の尻に装着する処理具のように、犬の歩行やおすわりの行為などに支障を来たさない。
また、首輪に吊り下げるので、犬のアクセサリー化が図れる。
なお、着脱自在の係止具であるから、犬を繋いでいる鎖や衣服を着せている場合にはその衣服にも取り付けることが可能である。勿論、処理者のバンドなどにも吊り下げることが可能である。
さらに、手袋形の袋の内面に装飾を施すことにより、処理後の袋を首輪に吊るした状態で、装飾が表面に表示されるという当業者の予測できない効果を得る。
手袋形の袋の口部を、ゴムなどを用いて絞ることにより、収納した糞の脱落防止が強化されると共に臭気などの漏出を防止する。
手袋形の袋の表面を防滑処理することにより、被せるビニール袋が滑らないので、糞処理の作業性が向上する。
また、本発明は、ゴム引きの作業用手袋などを利用することにより、袋の口部を弾性材を用いて絞り、袋の表面を防滑処理した手袋形の袋が、一般市場から安価に得ることができるというメリットがある。
【図面の簡単な説明】
【図１】図１は、手袋形の袋からなる、犬の糞処理具の実施例を示す斜視図である。
【符号の説明】
１　　手袋形の袋
２　　着脱自在の係止具
３　　装飾
４　　弾性材
５　　防滑処理
Ａ　　犬の糞処理具
【図１】
2004000106.tif 000003